(57)【要約】      （修正有）【課題】集中豪雨等に際しての建造物における浸水を容易に、かつ、安定した構成により防止できる浸水防止用シートを提供する。【解決手段】建造物における浸水防止用シートは、防水機能を持つシート本体の一方面に付着部３ａ、３ｂが設けられ、建造物の水侵入開口Ｓを覆うように付着部によって付着されて用いられる。【選択図】図３
0003216919.tif 000002
【実用新案登録請求の範囲】
【請求項１】
防水機能を持つシート本体の一方面に付着部が設けられ、建造物の水侵入開口を覆うように前記付着部によって付着されて用いられることを特徴とする建造物における浸水防止用シート。
【請求項２】
前記付着部が粘着剤層よりなることを特徴とする請求項１記載の建造物における浸水防止用シート。
【請求項３】
前記水侵入開口が開閉体の下部の隙間であり、前記隙間の方向に沿う位置に折り曲げ部が設けられている請求項１または２記載の建造物における浸水防止用シート。
【請求項４】
前記粘着剤層が前記折り曲げ部の一方側で厚く、他方側で薄く設けられている請求項３記載の建造物における浸水防止用シート。
【請求項５】
前記シート本体が塩化ビニール樹脂の中に織物が埋設されたものである請求項１〜４記載の建造物における浸水防止用シート。
【考案の詳細な説明】
【技術分野】
【０００１】  この考案は、建造物における浸水防止構成に関する。
【背景技術】
【０００２】  最近においては集中豪雨による浸水被害が多発している。この浸水被害は一般家庭においてはドア下部の隙間から、会社や商店の場合はシヤッターの下部の隙間から水が侵入することで発生している場合が多い。このような水の侵入を防ぐため、現状においては隙間を覆うようにテープを貼ったり、また、隙間を塞ぐように土嚢や水嚢を置いたりして対応している。
【考案の概要】
【考案が解決しようとする課題】
【０００３】  しかしながら、テープは強度、防水性がともに乏しいので浸水を十分に防ぐことができず、土嚢や水嚢は設置、回収作業に手間がかかり、また、常備するためのスペースを必要とする問題があった。【０００４】  この考案は上記の事情に鑑みて行ったもので、集中豪雨等に際しての建造物における浸水が容易に、かつ、安定した構成により防止できるようにすることを目的とする。
【課題を解決するための手段】
【０００５】  この考案では、防水機能を持つシート本体の一方面に付着部が設けられ、建造物の水侵入開口を覆うように前記付着部によって付着されて用いられることを特徴とする建造物における浸水防止用シートを提供する。【０００６】  この考案の浸水防止用シートを建造物の水侵入開口を覆うように付着部によって付着して使用することで、水侵入開口からの水の侵入が防止される。【０００７】  付着部が粘着剤層よりなる構成とされることで、浸水防止用シートを使用後に取り外すことができる。【０００８】  水侵入開口がドアや引き戸やシヤッター等の開閉体の下部の隙間であり、隙間の方向に沿う位置に折り曲げ部が設けられている構成とされることで、隙間の両側に折れ曲がって位置するそれぞれの面に沿うように折り曲げて取り付けることが容易に行われる。【０００９】    粘着剤層が折り曲げ部の一方側で厚く、他方側で薄く設けられている構成とされることで、厚い粘着剤層で土間面等に強固に安定して取り付けられ、使用後に取り外す際には粘着剤層が薄いことで粘着剤がドア等の開閉体面に残りにくく、残った場合にも容易に除去できる。【００１０】    シート本体が塩化ビニール樹脂の中に織物が埋設されたものである構成とされることで、浸水防止用シートは耐候性を有し、かつ、剛性にも優れるものとなる。この浸水防止用シートは戸外で剥がすことなくそのまま継続して取り付け使用できる。塩化ビニール樹脂に代えて、ポリウレタン樹脂、酢酸ビニール樹脂、アクリル樹脂を用いることができ、織物はポリエステル樹脂、ポリプロピレン樹脂、ポリエチレン樹脂、ナイロン樹脂よりなる織物が使用される。シート本体が織物を備えない構成とすることで可撓性に優れるものとなり、建造物のコーナー部に連続する隙間に沿って形状を変化させる状態として用いることができる。
【考案の効果】
【００１１】  この考案によれば、建造物における浸水が容易に、かつ、安定した構成により防止できるようになり、これにより集中豪雨時等の浸水被害が最小限とできるようになる
【図面の簡単な説明】
【００１２】
【図１】  この考案の浸水防止用シートの実施形態の省略平面図
【図２】  この考案の浸水防止用シートの実施形態の断面構成図
【図３】  この考案の浸水防止用シートの実施形態の使用説明図
【図４】  この考案の浸水防止用シートの他の実施形態の断面構成図
【図５】  この考案の浸水防止用シートの他の実施形態の使用説明図
【考案の好ましい実施形態】
【００１３】  図１は浸水防止用シートの省略平面図、図２は同断面構成図である。浸水防止用シート１は、例えば、その幅を５０ｃｍ、長さを１０ｍとし、シート本体２の裏面全体に粘着剤層（付着部）３が設けられ、その粘着剤層３を覆うように離型紙５が貼り付けられて構成され、その表面の幅方向における中間位置には長手方向に沿って折り曲げ線７が凹設されている。シート本体２は塩化ビニール樹脂部６内部にポリエステル繊維等の織物９が埋設された構成を備え、織物９が塩化ビニール樹脂液にディッピングされることで、また、織物９の両面に塩化ビニール樹脂液がコーティングされることで、また、織物９の両面に塩化ビニール樹脂シートがラミネートされることで作成されている。浸水防止用シート１は、シート本体２が塩化ビニール樹脂部６を備えることで防水性、耐候性を有し、かつ、織物９が埋設されていることで剛性にも優れる。粘着剤層３はアクリル樹脂溶液が塗布されることで設けられ、折り曲げ線７の一方側の粘着剤層３ａは厚く（約２００μ厚）、他方側の粘着剤層３ｂは薄く（約１００μ厚）設けられている。
【００１４】  図３は家屋の玄関内部における浸水防止用シート１の使用状態を示す。１０は玄関ドア（開閉体）、１１はドア枠であり、浸水防止用シート１は玄関ドア１０及びドア枠１１の下端と土間１２との間の隙間（水侵入開口）Ｓを覆うように用いられている。浸水防止シート１は隙間Ｓ長さに裁断されるとともに離型紙５が剥がされ、折り曲げ線７で外方に折り曲げられて粘着剤層３ａが土間１２面に、粘着剤層３ｂが玄関ドア１０面及びドア枠１１面に貼り付けられて取り付けられている。
【００１５】  上記のように浸水防止用シート１が取り付けられることで、玄関ドア１０及びドア枠１１の下端と土間１２との間の隙間Ｓが塞がれ、戸外から玄関内への水の侵入が防止される。
【００１６】  取り付けに際しては折り曲げ線７があることで、玄関ドア１０及びドア枠１１の面と土間１２の面に沿うように折り曲げて取り付けることが容易に行われる。また、厚い粘着剤層３ａで土間１２面に強固に安定して取り付けられ、使用後に取り外す際には粘着剤層３ｂが薄いことで粘着剤が玄関ドア１０面及びドア枠１１面に残りにくく、残った場合にも容易に除去できる。
【００１７】  図４は他の実施形態の断面構成図であり、この浸水防止用シート１００はシート本体２が厚みを持つ塩化ビニール樹脂部６のみよりなり、その他構成は上記実施形態と同様である。この浸水防止用シート１００は上記実施形態のものに比して可撓性に優れ、かつ厚みが有ることで有る程度の剛性を有するもので、建造物のコーナー部に連続する隙間に沿って形状を変化させる状態として用いられる。
【００１８】  図５は家屋や倉庫等の建造物の外面への使用状態を示す。ここに用いられる浸水防止用シート２００、３００はともに図１、図２に示す実施形態のものと同様にシート本体２が塩化ビニール樹脂部６内部にポリエステル樹脂等の織物９が埋設された構成となっているが、粘着剤層３は全体に厚く（約２００μ厚）設けられ、かつ、折り曲げ線７は設けられていない。浸水防止用シート２００は基礎２０１と土台部分２０２との当接部２０３に生じた隙間Ｓを覆うように、浸水防止用シート３００は基礎２０１に設けられた通風口Ｔを覆うようにそれぞれ用いられている。浸水防止用シート本体２００、３００は耐候性を有し、かつ、剛性にも優れるので、剥がすことなくそのまま継続して取り付けて用いることもでき、建造物の外観を損なわないデザインに優れるものが使用される。
【符号の説明】
【００１９】１  浸水防止用シート
２  シート本体
３  粘着剤層（付着部）
５  離型紙
６  塩化ビニール樹脂部
７  折り曲げ部
９  織物
【図１】
0003216919.tif 000003
【図２】
0003216919.tif 000004
【図３】
0003216919.tif 000005
【図４】
0003216919.tif 000006
【図５】
0003216919.tif 000007
【手続補正書】
【提出日】平成30年4月12日(2018.4.12)
【手続補正１】
【補正対象書類名】実用新案登録請求の範囲
【補正対象項目名】全文
【補正方法】変更
【補正の内容】
【実用新案登録請求の範囲】
【請求項１】
防水機能を持つシート本体の一方面に付着部が設けられ、建造物の水侵入開口を覆うように前記付着部によって付着されて用いられることを特徴とする建造物における浸水防止用シート。
【請求項２】
前記付着部が粘着剤層よりなることを特徴とする請求項１記載の建造物における浸水防止用シート。
【請求項３】
前記水侵入開口が開閉体の下部の隙間であり、前記隙間の方向に沿う位置に折り曲げ部が設けられている請求項２記載の建造物における浸水防止用シート。
【請求項４】
前記粘着剤層が前記折り曲げ部の一方側で厚く、他方側で薄く設けられている請求項３記載の建造物における浸水防止用シート。
【請求項５】
前記シート本体が塩化ビニール樹脂の中に織物が埋設されたものである請求項１〜４のいずれか一項に記載の建造物における浸水防止用シート。